(57)【要約】【課題】本発明は、光学フィルタ上に付着した異物を除去しつつ、使用者がシャッタチャンスを逃すといったことを軽減する。【解決手段】デジタルカメラ１は、被写体像を撮像して画像データを生成するＣＭＯＳセンサ２０１と、被写体像を結像させる光学系とＣＭＯＳセンサ２０１との間に配置された光学フィルタ２２１と、光学フィルタ２２１の表面上に付着した異物を除去するために、光学フィルタ２２１を加振する圧電素子２２２及び駆動回路２２３と、ＣＭＯＳセンサ２０１が電源ＯＦＦ時から電源ＯＮに変更された場合、他のタイミングよりも短い駆動時間を用いて圧電素子２２２及び駆動回路２２３を駆動するＣＰＵ２１１駆動手段と、を備える。【選択図】図２
2012015567.tif 000002
【特許請求の範囲】
【請求項１】
被写体像を撮像して画像データを生成する撮像素子と、
前記被写体像を結像させる光学系と前記撮像素子との間に配置された光学素子と、
前記光学素子を加振する加振手段と、
自装置の電源がＯＦＦからＯＮにされた場合、第１の駆動時間の間、前記加振手段を駆動する一方、
外部からの指示を受け付けた場合、第２の駆動時間の間、前記加振手段を駆動する駆動手段と、
を備え、
前記第１の駆動時間は、第２の駆動時間よりも短い、
撮像装置。
【請求項２】
前記外部からの指示は、使用者による指示である、
請求項１に記載の撮像装置。
【請求項３】
被写体像を撮像して画像データを生成する撮像素子と、
前記被写体像を結像させる光学系と前記撮像素子との間に配置された光学素子と、
前記光学素子を加振する加振手段と、
前記撮像素子が画像データを生成可能になる状態に自装置が設定された場合、第１の駆動時間の間、前記加振手段を駆動する一方、
外部からの指示を受け付けた場合、第２の駆動時間の間、前記加振手段を駆動する駆動手段と、
を備え、
前記第１の駆動時間は、第２の駆動時間よりも短い、
撮像装置。
【請求項４】
前記加振手段は、圧電アクチュエータである、
請求項１に記載の撮像装置。
【請求項５】
交換レンズを着脱可能なカメラ本体であって、
被写体像を撮像して画像データを生成する撮像素子と、
前記交換レンズと前記撮像素子との間に配置された光学素子と、
前記光学素子を加振する加振手段と、
自本体の電源がＯＦＦからＯＮにされた場合、当該電源がＯＦＦの状態において前記交換レンズの着脱があったか否かを検知する検知手段と、
自本体の電源がＯＦＦからＯＮにされた場合、前記検知手段の検知結果に基づいた駆動時間の間、前記加振手段を駆動する時間制御手段と、
を備えるカメラ本体。
【請求項６】
交換レンズを着脱可能なカメラ本体であって、
被写体像を撮像して画像データを生成する撮像素子と、
前記交換レンズと前記撮像素子との間に配置された光学素子と、
前記光学素子を加振する加振手段と、
自本体の電源がＯＦＦからＯＮにされた場合、当該電源がＯＦＦの状態において前記交換レンズの着脱があったか否かを検知する検知手段と、
自本体の電源がＯＦＦからＯＮにされた場合、前記検知手段の検知結果に基づいた印加電圧の大きさで前記加振手段を駆動する電圧制御手段と、
を備えるカメラ本体。
【請求項７】
前記検知手段は、当該電源がＯＦＦの状態において前記交換レンズの着脱があったか否かを検知することに替えて、当該電源がＯＦＦの状態において交換レンズが他の交換レンズに交換されたか否かを検知する、
請求項５又は６に記載のカメラ本体。
【請求項８】
前記加振手段は、圧電アクチュエータである、
請求項５〜７の何れか１項に記載のカメラ本体。
【発明の詳細な説明】
【技術分野】
【０００１】
本発明は、交換レンズ及びカメラ本体を備える撮像装置に関する。また、本発明は、交換レンズが着脱可能なカメラ本体に関する。
【背景技術】
【０００２】
従来から、撮像装置では、撮像素子の前面に配された光学フィルタ等に塵埃等の異物が付着することで、この異物が撮影した画像データに映りこんでしまうという問題が発生していた。
【０００３】
このような塵埃は、レンズ交換時に外部から侵入したものや、カメラ内部でのシャッタやミラーの動作に伴って発生したものである。カメラ内部でのシャッタやミラーの動作に伴って発生する塵埃は、これらの部材が動作することによる、樹脂や金属等の微細な磨耗粉が原因であると考えられている。
【０００４】
このような問題を回避するため、撮像素子前面に設けられた光学素子を振動させることによって、光学素子に付着した塵埃を除去する技術が提案されている。
【０００５】
例えば、特許文献１の撮像装置では、装置の状態に基づいて、振動振幅、振動時間及び振動方向の少なくとも何れかを設定し、この設定に基づいて前記光学素子を振動させるようにしている。
【特許文献１】特開２００８−４２４００号公報
【発明の開示】
【発明が解決しようとする課題】
【０００６】
ここで特許文献１の撮像装置では、電源がＯＦＦからＯＮにされた時に、塵埃除去動作を行なうように構成されている。
【０００７】
しかしながら、特許文献１に記載の撮像装置では、カメラ本体が撮影可能になるまでの時間を考慮していない。つまり、使用者は、撮像装置の電源をＯＦＦからＯＮにした後、直ちに撮影を行いたい場合があるが、特許文献１ではこの点について考慮されていない。
【０００８】
また、特許文献１の撮像装置では、カメラ本体の消費電力を考慮していない。
【０００９】
そこで本発明の第１の目的は、撮像装置の撮影可能になるまでの時間を考慮しつつ、光学素子に付着した異物を効率的に除去できる撮像装置を提供することである。
【００１０】
また、本発明の第２の目的は、カメラ本体の消費電力を考慮しつつ、光学素子に付着した異物を効率的に除去できるカメラ本体を提供することである。
【課題を解決するための手段】
【００１１】
すなわち、本発明は、第１の目的を達成するために、被写体像を撮像して画像データを生成する撮像素子と、前記被写体像を結像させる光学系と前記撮像素子との間に配置された光学素子と、前記光学素子を加振する加振手段と、自装置の電源がＯＦＦからＯＮにされた場合、第１の駆動時間の間、前記加振手段を駆動する一方、外部からの指示を受け付けた場合、第２の駆動時間の間、前記加振手段を駆動する駆動手段と、を備える。そして、前記第１の駆動時間は、第２の駆動時間よりも短くなるようにする。
【００１２】
このようにすれば、電源がＯＦＦからＯＮにされた場合における光学素子の振動時間を、外部からの指示を受け付けた場合における光学素子の振動時間よりも短くすることができる。これによって、撮像装置の起動時間を考慮しつつ、光学素子上に付着した異物を効率的に除去できる。すなわち、電源がＯＮにされた場合、シャッタチャンスを逃すといったことを考慮して、除去動作を行なうことができ、外部から指示を受け付けた場合、塵埃除去することを考慮して、除去動作を行なうことができる。
【００１３】
また、好ましくは、前記外部からの指示は、使用者による指示である。使用者による指示には、例えば、専用釦を設けて、この専用釦で指示を受け付ける場合、や、液晶モニタに除去動作を示す画像を表示して、この画像で指示を受け付ける場合などが考えられるが、これに限られない。
【００１４】
さらに、被写体像を撮像して画像データを生成する撮像素子と、前記被写体像を結像させる光学系と前記撮像素子との間に配置された光学素子と、前記光学素子を加振する加振手段と、前記撮像素子が画像データを生成可能になる状態に自装置が設定された場合、第１の駆動時間の間、前記加振手段を駆動する一方、外部からの指示を受け付けた場合、第２の駆動時間の間、前記加振手段を駆動する駆動手段と、を備える。そして前記第１の駆動時間は、第２の駆動時間よりも短い。
【００１５】
このようにすれば、撮像装置は、自装置が撮影動作可能になるタイミングにおいて、光学素子の振動時間を、外部の指示に応じたタイミングよりも短くすることができる。
【００１６】
また、本発明は、第２の目的を達成するために、交換レンズを着脱可能なカメラ本体であって、被写体像を撮像して画像データを生成する撮像素子と、前記交換レンズと前記撮像素子との間に配置された光学素子と、前記光学素子の表面上に付着した異物を除去するために、前記光学素子を加振する加振手段と、自本体の電源がＯＦＦからＯＮにされた場合、当該電源がＯＦＦの状態において交換レンズの着脱があったか否かを検知する検知手段と、自本体の電源がＯＦＦからＯＮにされた場合、前記検知手段の検知結果に基づいた駆動時間の間、前記加振手段を駆動する時間制御手段と、を備える。
【００１７】
このようにすれば、カメラ本体は、電源がＯＦＦの状態において、レンズ交換がなかった場合と、レンズ交換があった場合とで、駆動時間を調整することができる。これに伴って消費電力を考慮しつつ、光学素子上に付着した異物を効率的に除去できる。
【発明の効果】
【００１８】
本発明の撮像装置は、電源がＯＦＦからＯＮにされた場合における光学素子の振動時間を、外部からの指示を受け付けた場合における光学素子の振動時間よりも短くすることにより、撮像装置の撮影可能になるまでの時間を考慮しつつ、光学素子に付着した異物を効率的に除去できる。
【００１９】
また、本発明のカメラ本体は、電源がＯＦＦの状態において、レンズ交換がなかった場合と、レンズ交換があった場合とで、駆動時間を調整することにより、消費電力を考慮しつつ、光学素子上に付着した異物を効率的に除去できる。
【発明を実施するための最良の形態】
【００２０】
以下、本発明の一実施の形態を、図面を参照して説明する。本発明をデジタルカメラ１に適用した例を説明する。
（実施の形態１）
実施の形態１のデジタルカメラ１は、カメラ本体２と交換レンズ３とを備えてなる。カメラ本体２は、ＣＭＯＳセンサ２０１の前面に、光学フィルタ２２１を備える。光学フィルタ２２１は、例えば、ローパスフィルタ（ＬＰＦ）が考えられる。光学フィルタ２２１には、圧電素子２２２が接着される。圧電素子２２２には、駆動回路２２３が接続されている。圧電素子２２２は、駆動回路２２３によって駆動されることで、光学フィルタ２２１を加振する。これによって、光学フィルタ２２１は振動され、光学フィルタ２２１上に付着した塵埃を除去できるようになる。
【００２１】
また、カメラ本体２は、電源をＯＦＦからＯＮにした時に光学フィルタ２２１を振動させる場合、２００ｍｓｅｃの駆動時間で光学フィルタ２２１を振動させる。また、カメラ本体２は、使用者の操作に応じて、光学フィルタ２２１を駆動させる場合、８００ｍｓｅｃで光学フィルタ２２１を振動させる。
【００２２】
つまり、カメラ本体２は、電源をＯＦＦからＯＮにする時のように、自本体が撮影動作可能になる場合、光学フィルタ２２１の振動時間を他のタイミングよりも短くなるようにしている。これによって、光学フィルタ２２１上に付着した塵埃を除去しつつ、使用者がシャッタチャンスを逃すといったことを軽減している。
【００２３】
一方、カメラ本体２は、使用者の操作に応じて光学フィルタ２２１を振動させる場合のように、使用者が積極的に光学フィルタ２２１を振動させる場合、光学フィルタ２２１の振動時間を他のタイミングよりも長くなるようにしている。これによって、使用者が積極的に光学フィルタ２２１上の塵埃を除去したい場合、効率的に塵埃を除去できる。すなわち、光学フィルタ２２１の振動時間（1回当たり）が短いことによって塵埃が取れず、使用者が何回も光学フィルタ２２１の振動を行なわせなければならないといった煩わしさを軽減できる。
【００２４】
〔１．構成〕
〔１−１  全体構成の概要〕
図１は、本実施の形態に係るデジタルカメラ１の斜視図である。図２は、本実施の形態に係るデジタルカメラ１の構成図である。
【００２５】
本実施の形態のデジタルカメラ１は、カメラ本体２と、カメラ本体２に着脱可能な交換レンズ３と、を備える。
【００２６】
カメラ本体２は、ＣＭＯＳセンサ２０１、メカシャッタ２０２、信号処理プロセッサ２０３（ＤＳＰ）、バッファメモリ２０４、液晶モニタ２０５、電子ビューファインダー２０６（ＥＶＦ）、電池２０７、ボディマウント２０８、フラッシュメモリ２０９、カードスロット２１０、ＣＰＵ２１１、シャッタスイッチ２１２、ストロボ２１３、マイク２１４、スピーカー２１５及びダイヤル２２０を備える。また、カメラ本体２は、光学フィルタ２２１、圧電素子２２２及び駆動回路２２３を備える。
【００２７】
また交換レンズ３は、レンズマウント３０１、ズームレンズ３０３やフォーカスレンズ３０４、ＯＩＳレンズ３０５を含むレンズ系、フォーカスレンズ３０４を駆動するフォーカス駆動部３０６、ＯＩＳレンズ３０５を駆動するＯＩＳ駆動部３２０、絞り３０７、絞り３０７を駆動する絞り駆動部３０８、ズームリング３０９、フォーカスリング３１０、レンズコントローラ３１１、バッファメモリ３１２、ズームレンズ位置検出器３１３、フラッシュメモリ３１４、およびジャイロセンサー３３０を備える。
【００２８】
〔１−２  カメラ本体２の構成〕
カメラ本体２は、交換レンズ３のレンズ系によって集光された被写体像を撮像して、撮像した画像データを記憶媒体（メモリーカード等）に記録できるように構成されている。
【００２９】
ＣＭＯＳセンサ２０１は、受光素子と、ＡＧＣ（ゲイン・コントロール・アンプ）と、ＡＤコンバータを含んで構成される。受光素子は、レンズ系によって集光された光学的信号を電気信号に変換し、画像データを生成する。またＡＧＣは、受光素子から出力された電気信号を増幅するものである。ＡＤコンバータは、ＡＧＣから出力された電気信号をデジタル信号に変換するものである。なお、ＣＭＯＳセンサ２０１は、ＣＰＵ２１１から受信した制御信号に従って、露光、転送、電子シャッタなどの各種の動作を行う。この各種動作は、タイミングジェネレータ等で実現可能である。
【００３０】
光学フィルタ２２１は、交換レンズ３の光学系とＣＭＯＳセンサ２０１との間に設けられる部材である。光学フィルタ２２１は、例えば、ＬＰＦ又は、ＬＰＦより分離された水晶複屈折板等である。光学フィルタ２２１は、ＣＭＯＳセンサの受光面に塵埃が付着することを予防する部材でもある。光学フィルタ２２１には、圧電素子２２２が接着されている。また、圧電素子２２２には、駆動回路２２３が接続されている。これによって、光学フィルタ２２１は、振動されるように構成されている。すなわち、圧電素子２２２は、駆動回路２２３から一定の周期を持った電圧が加えられることによって、伸縮する。光学フィルタ２２１は、圧電素子２２２が伸縮すると、この伸縮に伴って振動する。このように光学フィルタを振動させる技術は、従来技術と同様の技術であるため、詳細は割愛する。
【００３１】
ここで駆動回路２２３は、ＣＰＵ２１１の制御に応じた振動時間及び振動振幅で、光学フィルタ２２１を振動させることが可能である。まず、ＣＰＵ２１１の制御に応じた振動時間で、光学フィルタ２２１を振動させる方法について説明を行なう。ＣＰＵ２１１は、駆動回路２２３に対して、ＰＷM（Ｐｕｌｓｅ  Ｗｉｄｔｈ  Ｍｏｄｕｌａｔｉｏｎ）の出力時間、駆動周波数、切り替え時間等を制御することで可能になる。例えば、３００ｍｓｅｃの振動時間で光学フィルタ２２１を振動させる場合、駆動回路２２３は、３００ｍｓｅｃの駆動時間で、圧電素子２２２を駆動する。つまり、駆動回路２２３は、図４のように、複数の駆動周波数（ｆ１、ｆ２、ｆ３）の電圧を、１００ｍｓｅｃの駆動時間（切り替え時間）ずつ、印加する。つまり、駆動回路２２３は、駆動周波数ｆ１の電圧を、１００ｍｓｅｃの駆動時間分、圧電素子２２２に印加する。次に、駆動回路２２３は、駆動周波数ｆ２の電圧を、１００ｍｓｅｃの駆動時間分、圧電素子２２２に印加する。駆動周波数ｆ３の電圧についても同様の印加を行なう。これによって、駆動回路２２３は、駆動時間で圧電素子２２２を駆動させ、これに伴い振動時間で光学フィルタ２２１を振動させる。これによって、光学フィルタ２２１は振動され、光学フィルタ２２１に付着された塵埃が除去できる。
【００３２】
なお、駆動回路２２３は、２００ｍｓｅｃよりも長い６００ｍｓｅｃの振動時間で光学フィルタ２２１を振動させる場合、例えば、以下の２つのパターンで振動時間を調整することができる。１つ目が、駆動周波数毎の駆動時間を調整する方法である。また、２つ目が、駆動周波数の分解能を調整する方法である。
【００３３】
駆動周波数毎の駆動時間を調整する方法について説明する。この場合、駆動回路２２３は、図４のように、複数の駆動周波数（ｆ１、ｆ２、ｆ３）の電圧を、２００ｍｓｅｃの駆動時間ずつ、圧電素子２２２に印加する。これによって、トータル６００ｍｓｅｃの駆動時間分、圧電素子２２２を駆動できるので、６００ｍｓｅｃの振動時間分、光学フィルタ２２１を振動できる。また、駆動周波数の分解能を調整する方法について説明する。この場合、駆動回路２２３は、図４のように、複数の駆動周波数（ｆ１１〜ｆ１６）の電圧を、１００ｍｓｅｃの駆動時間ずつ、圧電素子２２２に印加する。これによって、トータル６００ｍｓｅｃの駆動時間分、圧電素子２２２を駆動できるので、６００ｍｓｅｃの振動時間分、光学フィルタ２２１を振動できる。要するに、駆動周波数毎の駆動時間及び駆動周波数の分解能を調整することによって、圧電素子２２２の駆動時間（光学フィルタ２２１の振動時間）を調整することができる。なお、圧電素子を駆動する周波数帯（１次共振、２次共振、３次共振など）を変更して、駆動時間を長くしたり、短くしたりすることも可能である。また、同じ駆動を複数回行なうことで、駆動時間を長くすることも可能である。
【００３４】
次に、ＣＰＵ２１１に応じた振動振幅で、光学フィルタ２２１を振動させる方法について説明を行なう。ＣＰＵ２１１は、駆動回路２２３に対して、圧電素子２２２への出力電圧を制御することで可能になる。すなわち、光学フィルタ２２１の振動振幅を変化させるには、圧電素子２２２に印加する電圧の大きさを変化させればよい。したがって、光学フィルタ２２１の振動振幅を大きくしたい場合、圧電素子２２２に印加する電圧を大きくすればよいし、光学フィルタ２２１の振動振幅を小さくしたい場合、圧電素子２２２に印加する電圧を小さくすればよい。
【００３５】
メカシャッタ２０２は、レンズ系を介して入射された、ＣＭＯＳセンサ２０１に対する光学的信号の遮断又は通過を切り替える。メカシャッタ２０２は、メカシャッタ駆動部によって駆動される。メカシャッタ駆動部は、モータ、バネ等の機構部品からなり、ＣＰＵ２１１の制御によって、メカシャッタ２０２を駆動する。要するに、メカシャッタ２０２は、開けたり閉じたりして、ＣＭＯＳセンサ２０１に当たる光の量を時間的に調整するものである。なお、メカシャッタ２０２は、光学フィルタ２２１と同じ空間に設けられている。すなわち、メカシャッタ２０２に付着した塵埃は、メカシャッタ２０２が動作させられると、メカシャッタ２０２から振り払われる。これによって、メカシャッタ２０２から振り払われた一部の塵埃は、メカシャッタ２０２や光学フィルタ２２１が設けられた空間内を浮遊して、光学フィルタ２２１上に付着する可能性がある。
【００３６】
信号処理プロセッサ２０３（ＤＳＰ）は、ＡＤコンバータによってデジタル信号に変換された画像データに、所定の画像処理を施すものである。所定の画像処理としては、ガンマ変換、ＹＣ変換、電子ズーム処理、圧縮処理、伸張処理等が考えられるが、これに限られるものではない。
【００３７】
バッファメモリ２０４は、信号処理プロセッサ２０３で処理を行う際、および、ＣＰＵ２１１で制御処理を行う際に、ワークメモリとして作用する。バッファメモリ２０４は、例えば、ＤＲＡＭなどで実現可能である。
【００３８】
液晶モニタ２０５は、カメラ本体２の背面に配置されるものであり、ＣＭＯＳセンサ２０１で生成された画像データまたはその画像データに所定の処理が施された画像データを表示可能である。ここで液晶モニタ２０５に入力される画像信号は、信号処理プロセッサ２０３から液晶モニタ２０５に出力される際、ＤＡコンバータによってデジタル信号からアナログ信号に変換される。
【００３９】
電子ビューファインダー２０６は、カメラ本体２に配置されるものであり、ＣＭＯＳセンサ２０１で生成された画像データまたはその画像データに所定の処理が施された画像データを表示可能である。電子ビューファインダー２０６に入力される画像信号も同様に、信号処理プロセッサ２０３から電子ビューファインダー２０６に出力される際、ＤＡコンバータによってデジタル信号からアナログ信号に変換される。
【００４０】
ここで液晶モニタ２０５と電子ビューファインダー２０６への表示は、表示切替手段２１７によって、一方に表示されるようにしている。すなわち、液晶モニタ２０５に画像が表示されている間は、電子ビューファインダー２０６には何も表示されない。また、電子ビューファインダー２０６に画像が表示されている間は、液晶モニタ２０５には何も表示されないように構成されている。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５との電気的な接続が切断され、信号処理プロセッサ２０３と電子ビューファインダー２０６とが電気的に接続される。なお上記に限られず、表示切替手段２１７は、ＣＰＵ２１１などから制御信号に基づいて、液晶モニタ２０５と電子ビューファインダー２０６への表示の切り替えを行なってもよい。
【００４１】
以上のように、液晶モニタへの表示と、電気ビューファインダーへの表示とを切り替えるようにしている。但し、これは、構成上の制限からくる問題であるため、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００４２】
電池２０７は、デジタルカメラ１で消費するための電力を供給する。電池２０７は、例えば乾電池であってもよいし、充電池であってもよい。また、電池２０７コードにより外部から供給される電力をデジタルカメラ１に供給するものであってもよい。
【００４３】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等のメカニカルな部材によって機械的にも接続可能である。ボディマウント２０８は、交換レンズ３に含まれるレンズコントローラ３１１からの信号をＣＰＵ２１１へ出力できるとともに、ＣＰＵ２１１からの信号を交換レンズ３のレンズコントローラ３１１に出力できる。すなわち、ＣＰＵ２１１は、交換レンズ３側のレンズコントローラ３１１と制御信号やレンズ系に関する情報などを送受信可能である。また、ボディマウント２０８は、電池２０７から供給された電力を、レンズコントローラ３１１に供給する。これによって、ボディマウント２０８は、交換レンズ３内で消費される電力を供給するようにしている。
【００４４】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にＣＰＵ２１１の制御のためのプログラムや設定値などを記憶可能である。
【００４５】
カードスロット２１０は、メモリカード２１８を着脱するためのスロットである。メモリカード２１８は、画像データまたはその画像データに所定の処理が施された画像データを記憶可能である。また、デジタル化された音声信号も記憶可能である。要するにメモリカード２１８は、記憶媒体である。
【００４６】
ＣＰＵ２１１は、カメラ本体２全体を制御するものである。ＣＰＵ２１１は、マイクロコンピュータで実現してもよく、ハードワイヤードな回路で実現してもよい。すなわち、ＣＰＵ２１１は、各種の制御を実行する。
【００４７】
ここでＣＰＵ２１１は、電源がＯＮの状態において、交換レンズ３の着脱を検知できるようにしている。具体的にＣＰＵ２１１は、ボディマウント２０８とレンズマウント３０１の電気接点が接続されているか否かで判別する。つまり、ＣＰＵ２１１は、ボディマウント２０８とレンズマウント３０１の電気接点が接続されている場合、レンズコントローラ３１１との通信が可能になるので、交換レンズ３が装着されていると判断する。また、ＣＰＵ２１１は、ボディマウント２０８とレンズマウント３０１の電気接点が接続されていない場合、交換レンズ３が装着されていないと判断する。
【００４８】
また、ＣＰＵ２１１は、電源がＯＦＦからＯＮにされた場合、電源がＯＦＦであった時において、交換レンズが変更されたか否かを判別できるようにしている。ＣＰＵ２１１は、例えば、交換レンズの識別番号をレンズコントローラ３１１から取得して比較することで可能になる。
【００４９】
具体例で説明する。カメラ本体２に交換レンズ３が装着されていない状態から説明を行なう。また、カメラ本体２の電源がＯＮにされている状態から説明を行なう。つまり、カメラ本体２の電源はＯＮであり、カメラ本体２には、交換レンズ３が装着されていない。なお、交換レンズのフラッシュメモリ３１４には、この交換レンズの識別ＩＤが記憶されているものとする。
【００５０】
例えば、カメラ本体２（ＣＰＵ２１１）は、第１の交換レンズ（識別ＩＤ「００１」）が装着された場合、交換レンズの識別ＩＤを要求するための要求信号をレンズコントローラ３１１に送信する。この際、レンズコントローラ３１１では、要求信号に応じて、フラッシュメモリ３１４から読み出した識別ＩＤ「００１」を、ＣＰＵ２１１に送信する。つまり、レンズコントローラ３１１は、要求信号に応じて、識別ＩＤをＣＰＵ２１１に送信できるように構成されている。
【００５１】
ＣＰＵ２１１は、識別ＩＤ「００１」をレンズコントローラ３１１から取得すると、フラッシュメモリ２０９に記憶する。この後、カメラ本体２の電源釦２２５が、使用者によって操作された場合、カメラ本体２は、自本体の電源をＯＮからＯＦＦに変更する。なお、この具体例では、カメラ本体の電源がＯＦＦの状態において、装着された第１の交換レンズが、第２の交換レンズ（識別ＩＤ「００２」）に変更されたとする。
【００５２】
このような場合、使用者によって電源釦２２５が操作されると、カメラ本体２は、電源をＯＦＦからＯＮに変更する。カメラ本体２は、電源をＯＦＦからＯＮに変更すると、識別ＩＤを要求するための要求信号を第２の交換レンズに送信する。この際、レンズコントローラ３１１では、要求信号に応じて、フラッシュメモリ３１４から読み出した識別ＩＤ「００２」を、ＣＰＵ２１１に送信する。ＣＰＵ２１１は、識別ＩＤ「００２」を取得すると、フラッシュメモリ２０９に記憶されている識別ＩＤ「００１」を読み出して、取得した識別ＩＤ「００２」と比較する。ＣＰＵ２１１は、取得した識別ＩＤと、読み出した識別ＩＤが違う場合、電源がＯＦＦの状態において、交換レンズが他の交換レンズに変更されたと判断する。一方ＣＰＵ２１１は、取得した識別ＩＤと、読み出した識別ＩＤが同じ場合、電源がＯＦＦの状態において、交換レンズが他の交換レンズに変更されていないと判断する。この例の場合、ＣＰＵ２１１は、電源がＯＦＦの状態において、交換レンズが他の交換レンズに変更されたと判断する。なお、ＣＰＵ２１１は、電源がＯＦＦの状態において、交換レンズが他の交換レンズに変更されていた場合、取得した識別ＩＤをフラッシュメモリ２０９に記憶する。これによって、カメラ本体は、電源がＯＦＦの状態におけるレンズ交換を検知できるようにしている。
【００５３】
シャッタスイッチ２１２は、カメラ本体２の上面に設けられた釦であり、使用者からの半押しおよび全押し操作を検知する。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。なお、本実施の形態において全押し信号は、撮影開始信号である。
【００５４】
ストロボ２１３は、ＣＰＵ２１１からの制御信号に基づいて、被写体に対して光の照射を行なうものである。
【００５５】
マイク２１４は、音声を電気信号に変換するものである。このマイク２１４から出力された電気信号は、ＡＤコンバータによってデジタル信号に変換される。ＡＤコンバータで変換されたデジタル信号は、ＣＰＵ２１１の制御に従って、フラッシュメモリ２０９またはメモリカード２１８に記憶される。
【００５６】
スピーカー２１５は、電気信号を音声に変換するものである。ここでスピーカー２１５へ入力される電気信号は、ＤＡコンバータでデジタル信号から電気信号に変換されたものである。ＤＡコンバータへの出力は、ＣＰＵ２１１の制御によって、フラッシュメモリ２０９またはメモリカード２１８から読み出されたデジタル信号が出力される。
【００５７】
モード切替ダイヤル２３０は、カメラ本体２の外装に取り付けられた操作部材である。モード切替ダイヤル２３０は、略円形形状で構成され、使用者が回動操作することによって、使用者が複数の制御モードから一つの制御モードを選択できるようにしている。すなわち、モード切替ダイヤル２３０は、複数の制御モードの内、一つの制御モードを選択できるようにするため、所定の位置に移動された制御モードを検知できるようにしている。複数の制御モードには、「静止画撮影モード」、「動画撮影モード」、又は「再生モード」などが含まれる。例えば、モード切替ダイヤルの上面に記載された「静止画撮影モード」を示す画像が、所定の位置（選択位置）に移動されると、モード切替ダイヤル２３０は、「静止画撮影モード」に変更されたことを示すモード切替信号をＣＰＵ２１１に出力する。これによって、制御モードの切り替えを検知できるようにしている。
【００５８】
ダストリダクションスイッチ２２４は、カメラ本体２の外装に設けられる操作部材である。ダストリダクションスイッチ２２４は、使用者から操作された場合、操作信号をＣＰＵ２１１に送信するものである。ＣＰＵ２１１は、この操作信号に基づいて、光学フィルタ２２１を振動させるための制御を行なう。これによって、使用者は、ダストリダクションスイッチ２２４を操作して、光学フィルタ２２１を振動させ、光学フィルタ２２１上に付着した塵埃を除去することができる。なお、ダストリダクションスイッチは、専用釦で構成したが、他のスイッチとの兼用であってもかまわない。また、液晶モニタに表示した表示画像から、使用者にダストリダクション操作を選択させるようにしてもよい。
【００５９】
電源釦２２５は、カメラ本体２の電源をＯＦＦとＯＮの間で切り替えるものである。電源釦２２５が使用者によって操作されると、カメラ本体２の各部材に電池２０７から電力が供給される。
【００６０】
なお、本実施の形態の電源がＯＦＦの状態とは、電池から、カメラ本体の全ての部品に対する電力の供給をＯＦＦにすることに限らない。つまり、一部の部品が電力に基づいて稼動していてもかまわない。例えば、一部の部品には、時間を計測するタイマ等が考えられる。言い換えれば、カメラ本体２の主要機能、つまり撮影機能を実現するための部品に電力が供給されているかいないかで判断すればよい。
【００６１】
〔１−３  交換レンズ３の構成〕
レンズ系は、ズームレンズ３０３とフォーカスレンズ３０４とＯＩＳレンズ３０５と対物レンズ３０２を含んで構成され、被写体からの光を集光する。ズームレンズ３０３は、ズームリング３０９によって駆動され、ズーム倍率を調整するものである。フォーカスレンズ３０４は、フォーカス駆動部３０６又はフォーカスリング３１０によって駆動され、ピントの調節を行なうようにしたものである。ＯＩＳレンズ３０５は、ＯＩＳ駆動部３２０によって駆動される。要するに、フォーカスレンズ３０４やズームレンズ３０３、ＯＩＳレンズ３０５は可動レンズである。
【００６２】
ここでＯＩＳレンズ３０５は、光学系の光軸に垂直な面内で移動可能である。ＯＩＳレンズ３０５が光学系の光軸に垂直な面内で移動することにより、光学系の光軸を曲げることができる。後述するＯＩＳ駆動部３２０で検出したデジタルカメラ１のぶれを相殺する方向にＯＩＳレンズ３０５を移動することにより、デジタルカメラ１のぶれに起因する像ぶれを防止できる。
【００６３】
フォーカス駆動部３０６は、レンズコントローラ３１１の制御にしたがって、フォーカスレンズ３０４を駆動させるようにしたものである。フォーカス駆動部３０６は、ステッピングモータとドライバで実現した例を説明している。フォーカス駆動部３０６は、レンズコントローラ３１１から電力が供給されてフォーカスレンズ３０４を駆動するように構成されている。
【００６４】
ＯＩＳ駆動部３２０は、ジャイロセンサー３３０の出力に基づいたレンズコントローラ３１１の制御にしたがって、ＯＩＳレンズ３０５を駆動させるようにしたものである。すなわち、光学式像ぶれ補正機能は、ジャイロセンサー３３０、レンズコントローラ３１１、ＯＩＳ駆動部３２０及びＯＩＳレンズ３０５によって実現可能である。ジャイロセンサー３３０は、デジタルカメラ１の動き角速度を検出する。レンズコントローラ３１１は、ＯＩＳ駆動部３２０で検出された角速度を積分して、デジタルカメラ１の角速度を算出する。これが、デジタルカメラ１のぶれ量である。そして、レンズコントローラ３１１は、デジタルカメラ１の動きを相殺して、被写体像がＣＭＯＳセンサ２０１上で極力動かないように、ＯＩＳレンズ３０５を駆動するよう、ＯＩＳ駆動部３２０に指示する。ＯＩＳ駆動部３２０は、この指示に従って、ＯＩＳレンズ３０５を駆動する。ＯＩＳレンズ３０５は、上述のように、光学系の光軸の垂直面内で移動することにより、光学系の光軸を曲げることができる。これによって、被写体像がＣＭＯＳセンサ２０１上で極力動かないようにすることができる。
【００６５】
絞り３０７は、レンズ系を通過する光の量を調整するものである。例えば、光の調整は、５枚羽根などで構成される開口部を大きくしたり、小さくしたりすることで可能である。
【００６６】
絞り駆動部３０８は、絞り３０７の開口部の大きさを変更するものである。実施の形態１では、レンズコントローラ３１１の制御に基づいて、絞り３０７の開口部の大きさを変更するようにしている。ここで開口部の大きさは、ＡＶ値によって指定可能である。なお、絞り駆動部３０８は、レンズコントローラ３１１からの制御に基づいて、絞り３０７を駆動するようにしているが、これに限られず、機械的な方法によって駆動させてもよい。
【００６７】
なお、絞り駆動部３０８は、絞りの開口部の大きさ（位置）を検出し、ＡＶ（Aperture Value）値として出力するエンコーダを備える。絞り駆動部３０８は、ＡＶ値をレンズコントローラ３１１に出力する。この絞り駆動部３０８から出力されるＡＶ値は、例えば、ＡＶ「１」〜「６」である。
【００６８】
ズームリング３０９は、交換レンズ３の外装に設けられ、使用者からの操作に応じて、ズームレンズ３０３を駆動させるものである。ズームリング３０９は、使用者によって回動操作されると、機械的に、ズームレンズ３０３を駆動する。
【００６９】
フォーカスリング３１０は、交換レンズ３の外装に設けられ、使用者からの操作に応じて、フォーカスレンズ３０４を駆動させるものである。なお、フォーカスリング３１０は、使用者によって回動操作されると、摺動抵抗が操作を検知し、レンズコントローラ３１１に操作に関する信号が入力される。レンズコントローラ３１１は、入力された操作に関する信号に応じて、フォーカス駆動部３０６を制御する。これによって、フォーカス駆動部３０６は、フォーカスレンズ３０４を駆動する。
【００７０】
レンズコントローラ３１１は、交換レンズ３全体を制御するものである。レンズコントローラ３１１は、マイクロコンピュータで実現してもよく、ハードワイヤードな回路で実現してもよい。すなわち、レンズコントローラ３１１は、各種の制御を実行する。
【００７１】
レンズコントローラ３１１は、ＣＰＵ２１１から要求信号を取得する。また、レンズコントローラ３１１は、要求信号に応じて、フラッシュメモリ３１４から識別ＩＤを読み出す。レンズコントローラ３１１は、この読み出した識別ＩＤをＣＰＵ２１１に送信する。
【００７２】
バッファメモリ３１２は、レンズコントローラ３１１で制御処理を行う際に、ワークメモリとして作用する。バッファメモリ３１２は、例えば、ＤＲＡＭなどで実現可能である。
【００７３】
フラッシュメモリ３１４は、レンズコントローラ３１１と電気的に接続して構成される。そして、フラッシュメモリ３１４は、制御プログラムやパラメータ等が記憶可能になっている。例えば、フラッシュメモリ３１４には、交換レンズの識別ＩＤが記憶されている。
【００７４】
ズームレンズ位置検出器３１３は、ズームレンズ３０３のズームポジションに関する情報を取得する。具体的にズームポジションは、ズームレンズ３０３の可動範囲を複数に分割し、分割された領域単位で指定されるズームレンズ３０３の位置を示すものである。レンズコントローラ３１１は、このズームレンズ位置検出器３１３が検出したズームポジションに関する情報を定期的に取得するように構成されている。
【００７５】
ここでズームレンズ位置検出器３１３は、摺動抵抗等で構成され、ズームレンズ３０３のズームポジションに関する情報を電圧値で検出する。また、レンズコントローラ３１１は、ズームレンズ位置検出器３１３が検出した電圧値を定期的に読み出し、この電圧値をＡＤ変換することで、２５６分割したズームポジションに関する情報（デジタル化したデータ）を取得する。
【００７６】
〔２．本発明との対応関係〕
デジタルカメラ１は、本発明の撮像装置の一例である。なお、撮像装置は、カメラ本体２であってもよい。ＣＭＯＳセンサ２０１は、撮像素子の一例である。光学フィルタ２２１は、光学素子の一例である。圧電素子２２２及び駆動回路２２３は、加振手段の一例である。つまり、圧電アクチュエータは、加振手段の一例である。ＣＰＵ２１１は、駆動手段の一例である。なお、外部からの指示は、例えば、使用者による指示である。使用者による指示には、例えば、デジタルカメラ１に専用釦を設けて、この専用釦で指示を受け付ける場合、や、液晶モニタに除去動作を示す画像を表示して、この画像で指示を受け付ける場合などが考えられるが、これに限られない。
【００７７】
〔３．動作〕
上記のように構成されたデジタルカメラ１の動作を、図５のフローチャートを用いて説明する。カメラ本体２の電源がＯＦＦの状態から説明を開始する。
【００７８】
ＣＰＵ２１１は、カメラ本体２の電源がＯＦＦからＯＮにされた場合（Ａ１）、２００ｍｓｅｃの振動時間で、光学フィルタ２２１を振動させるように制御する（Ａ２）。つまり、ＣＰＵ２１１は、圧電素子２２２を２００ｍｓｅｃの駆動時間で駆動するように、駆動回路２２３を制御する。
【００７９】
ＣＰＵ２１１は、電源がＯＮの状態において、交換レンズの装着が発生したか否かを判別する（Ａ３）。したがって、ＣＰＵ２１１は、交換レンズが外された後、同じ又は他の交換レンズが装着された場合、４００ｍｓｅｃの振動時間で、光学フィルタ２２１を振動させるように制御する（Ａ４）。一方、ＣＰＵ２１１は、交換レンズが着脱されていない場合、ステップＡ５に動作を移行する。ＣＰＵ２１１は、ダストリダクションスイッチ２２４が操作されたか否かを判別する（Ａ５）。ＣＰＵ２１１は、ダストリダクションスイッチ２２４が操作された場合、８００ｍｓｅｃの振動時間で、光学フィルタ２２１を振動させるように制御する（Ａ６）。一方、ＣＰＵ２１１は、ダストリダクションスイッチ２２４が操作されていない場合、ステップＡ７に動作を移行する。ＣＰＵ２１１は、カメラ本体２の電源がＯＮからＯＦＦにされたか否かを判断する（Ａ７）。ＣＰＵ２１１は、カメラ本体2の電源がＯＮからＯＦＦにされた場合、６００ｍｓｅｃの振動時間で、光学フィルタ２２１を振動させるように制御する（Ａ８）。一方、ＣＰＵ２１１は、カメラ本体２の電源がＯＮのままの場合、ステップＡ３に動作を移行する。
【００８０】
つまり、実施の形態１は、図３のような動作タイミングに、図３のような振動時間で、光学フィルタ２２１を振動させるようにしている。なお、図３では、電源がＯＦＦからＯＮにされた場合、２００ｍｓｅｃの振動時間で光学フィルタを振動させるようにしている。  〔４．まとめ〕
デジタルカメラ１は、被写体像を撮像して画像データを生成するＣＭＯＳセンサ２０１と、被写体像を結像させる光学系とＣＭＯＳセンサ２０１との間に配置された光学フィルタ２２１と、光学フィルタ２２１の表面上に付着した異物を除去するために、光学フィルタ２２１を加振する圧電素子２２２及び駆動回路２２３と、デジタルカメラ１の電源がＯＦＦからＯＮに変更された場合、ダストリダクションスイッチ２２４が操作された場合よりも短い駆動時間を用いて圧電素子２２２及び駆動回路２２３を駆動するＣＰＵ２１１と、を備える。
【００８１】
このようにすれば、デジタルカメラは、電源がＯＦＦからＯＮに変更された場合、光学フィルタの振動時間を、ダストリダクションスイッチ２２４が操作された場合よりも味覚することができる。これによって、起動時間を考慮した塵埃除去動作を行うことができ、使用者がシャッタチャンスを逃すといったことを軽減できる。
（実施の形態２）
実施の形態２を説明する。上記実施の形態１と構成は同様であるため、構成の説明は割愛する。
【００８２】
実施の形態２のカメラ本体２は、電源がＯＦＦからＯＮにされた時に光学フィルタ２２１を振動させる。カメラ本体２は、この電源がＯＦＦの状態において、装着されていた交換レンズが、他の交換レンズに変更されたか否かを判別できるようになっている。そしてカメラ本体２は、交換レンズが変更されていた場合、４００ｍｓｅｃの振動時間で光学フィルタ２２１を振動させる。一方カメラ本体２は、交換レンズが変更されていなかった場合、２００ｍｓｅｃの振動時間で光学フィルタ２２１を振動させる。なお、実施の形態２では、振動時間に替えて、振動振幅であってもよい。振動振幅の場合、圧電素子２２２に加える印加電圧の大きさを変更することで可能になる。ここで、振動振幅は、レンズ交換があった場合、レンズ交換がなかった場合よりも大きくなるようにする。
【００８３】
つまり、カメラ本体は、電源がＯＦＦの状態において、レンズ交換がなかった場合、レンズ交換があった場合よりも駆動時間を短くすることができる。ここで電源がＯＦＦの状態にレンズ交換がない場合は、交換レンズの交換に伴う塵埃の侵入がなくなると考えられる。したがって、このような場合は光学フィルタ２２１に付着する塵埃が少ないと考えられるので、駆動時間を短くしても、十分な塵埃の除去が見込まれる。よって、このように塵埃の除去が十分すぎる場合、駆動時間を短くすることができ、これに伴って消費電力の削減を行なうことが可能になる。
【００８４】
〔２．本発明との対応関係〕
カメラ本体２は、本発明のカメラ本体の一例である。ＣＭＯＳセンサ２０１は、本発明の撮像素子の一例である。光学フィルタ２２１は、本発明の光学素子の一例である。圧電素子２２２と駆動回路２２３は、加振手段の一例である。ＣＰＵ２１１は、本発明の検知手段、時間制御手段及び電圧制御手段の一例である。
【００８５】
〔３．動作〕
上記のように構成されたデジタルカメラ１の動作を、図６のフローチャートを用いて説明する。実施の形態１の動作を同様の動作については、説明を割愛する。
【００８６】
ステップＢ１は、ステップＡ１と同じである。ＣＰＵ２１１は、ステップＢ１において、カメラ本体２の電源がＯＦＦからＯＮに変更された場合、電源がＯＦＦの状態において、交換レンズが他の交換レンズに変更されたか否かを判断する（Ｂ２１）。ＣＰＵ２１１は、電源ＯＦＦ状態において、交換レンズが他の交換レンズに変更されている場合、４００ｍｓｅｃの振動時間で、光学フィルタ２２１を振動させるように制御する（Ｂ２２）。一方、ＣＰＵ２１１は、電源ＯＦＦ状態において、交換レンズが他の交換レンズに変更されていない場合、２００ｍｓｅｃの振動時間で、光学フィルタ２２１を振動させるように制御する（Ｂ２３）。
【００８７】
ステップＢ３〜Ｂ８については、ステップＡ３〜Ａ８と同様である。
【００８８】
つまり、実施の形態２は、図３のような動作タイミングに、図３のような振動時間で、光学フィルタ２２１を振動させるようにしている。
【００８９】
〔４．まとめ〕
実施の形態２は、交換レンズ３を着脱可能なカメラ本体２であって、被写体像を撮像して画像データを生成するＣＭＯＳセンサ２０１と、交換レンズ３とＣＭＯＳセンサ２０１との間に配置された光学フィルタ２２１と、光学フィルタ２２１の表面上に付着した異物を除去するために、光学フィルタ２２１を加振する圧電素子２２２及び駆動回路２２３と、自本体の電源がＯＦＦからＯＮにされた場合、電源ＯＦＦの状態において交換レンズ３の着脱があったか否かを検知するＣＰＵ２１１と、自本体の電源がＯＦＦからＯＮにされた場合、ＣＰＵ２１１の検知結果に基づいた駆動時間で圧電素子２２２及び駆動回路２２３を駆動するＣＰＵ２１１と、を備える。
【００９０】
このようにすれば、カメラ本体は、電源がＯＦＦの状態において、レンズ交換がなかった場合と、レンズ交換があった場合とで、駆動時間を調整することができる。これに伴って消費電力を考慮しつつ、光学フィルタ上に付着した異物を効率的に除去できる。
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００９１】
実施の形態１、２では、ＣＭＯＳセンサを備えて構成した。しかし、これに限られず、例えば、ＣＣＤイメージセンサを備えて構成してもよい。すなわち、撮像手段は、被写体像を撮像して、画像データ（デジタル信号又は電気信号）を生成できるものであれば、どのような構成であってもかまわない。なお、ＣＭＯＳセンサで構成した場合、消費電力を減らすことができる。
【００９２】
実施の形態１、２では、説明を分かりやすくするため、詳細な駆動時間を示して説明を行なったものであるため、上記説明で用いた駆動時間は、上記実施の形態に限られない。
【００９３】
実施の形態１、２では、圧電素子に電圧を与えることによって、光学フィルタの振動を可能にした。しかし、これに限られず、例えば、他のアクチュエータで、光学フィルタを振動させることも可能である。
【００９４】
本実施の形態１、２では、光学フィルタ２２１に圧電素子２２２を接着して、光学フィルタ２２１を振動させるようにしたが、これに限られない。例えば、光学フィルタ（ＬＰＦ）と異なる透明部材に圧電素子を接着して、透明部材を振動させるようにしてもよい。この場合、撮像素子の前面に、光学フィルタ（ＬＰＦ）を設け、この光学フィルタの前面に、透明部材を設ける。この透明部材は、塵埃を除去するために設けられた専用部材である。なお、実施の形態１のようにＬＰＦを振動させる場合、ＬＰＦは塵埃を除去する役割も果たすため、カメラ本体の部品点数を減らすことが可能になる。
【００９５】
実施の形態では、光学フィルタの形状は円形を示しているが、四角形等の多角形でもよい。
【００９６】
実施の形態では、圧電素子の形状は円環タイプを示したが、短冊タイプでもよく、用いる数量も1つに限らず、複数を用いてもよい
実施の形態１では、撮像素子が画像データを生成可能になるような状態として、装置の電源をＯＦＦからＯＮにされた時の例を説明した。しかしこれに限られず、撮像素子が画像データを生成不可能な状態から、撮像素子が画像データを生成可能な状態に変化した場合であればどのような場合であってもかまわない。したがって、例えば、撮像装置のモードが「再生モード」に設定されていた状態から、「撮影モード」に変更された場合等が考えられる。つまり、自装置が撮影可能な状態への変更タイミングであればよい。
【００９７】
実施の形態２では、電源がＯＦＦの状態において、交換レンズが他の交換レンズに変更されたか否かを検知し、検知した結果に応じて、圧電素子２２２の駆動時間を調整するようにした。しかし、これに限られず、他の実施の形態では、電源がＯＦＦの状態において、交換レンズが着脱されたか否かを検知し、検知した結果に応じて、圧電素子２２２の駆動時間を調整するようにしてもよい。交換レンズの着脱とは、交換レンズが外されて、取り付けられたことである。したがって、交換レンズの着脱があったか否かの判断は、交換レンズがカメラ本体から外されたことを検知して判断してもよいし、交換レンズがカメラ本体に取り付けられたことを検知して判断してもよい。
【００９８】
また、実施の形態２では、電源がＯＦＦからＯＮにされた場合、レンズ交換に応じて、圧電素子２２２の駆動時間を調整するようにした。しかし、これに限られず、圧電素子２２２に対する印加電圧を調整するようにしてもよい。この場合、ＣＰＵ２１１は、電源がＯＦＦの状態において、レンズ交換があった場合、印加電圧を大きくして、圧電素子２２２を駆動するように駆動回路２２３を制御するとよい。一方、ＣＰＵ２１１は、電源がＯＦＦの状態において、レンズ交換がない場合、印加電圧を小さくして、圧電素子２２２を駆動するように駆動回路２２３を制御するとよい。このようにすれば、レンズ交換していない場合に、不必要な振動をすることなく、光学フィルタ上の塵埃を除去できるので、カメラ本体として、消費電力を軽減することができる。
【００９９】
すなわち、本発明は、上記実施の形態に限られず、種々な構成で実現可能である。
（付記１）
被写体像を撮像して画像データを生成する撮像素子と、
前記被写体像を結像させる光学系と前記撮像素子との間に配置された光学素子と、
前記光学素子の表面上に付着した異物を除去するために、前記光学素子を加振する加振手段と、
前記撮像素子が画像データを生成可能な状態に自装置が設定された場合、他のタイミングよりも短い駆動時間を用いて前記加振手段を駆動する駆動手段と、
を備える撮像装置。
（付記２）
被写体像を撮像して画像データを生成する撮像素子と、
前記被写体像を結像させる光学系と前記撮像素子との間に配置された光学素子と、
前記光学素子の表面上に付着した異物を除去するために、前記光学素子を加振する加振手段と、
使用者の操作によって前記光学素子を加振するよう制御された場合、他のタイミングよりも長い駆動時間を用いて前記加振手段を駆動する駆動手段と、
を備える撮像装置。
（付記３）
被写体像を撮像して画像データを生成する撮像素子と、
前記被写体像を結像させる光学系と前記撮像素子との間に配置された光学素子と、
前記光学素子の表面上に付着した異物を除去するために、前記光学素子を加振する加振手段と、
前記撮像素子が画像データを生成可能な状態に自装置が設定された場合、第１の駆動時間を用いて前記加振手段を駆動する一方、
使用者の操作によって前記光学素子を加振するよう制御された場合、第２の駆動時間を用いて前記加振手段を駆動する駆動手段と、
を備え、
前記第１の駆動時間は、第２の駆動時間よりも駆動時間が短い、
撮像装置。
【産業上の利用可能性】
【０１００】
本発明は、交換レンズを装着可能なデジタルカメラ本体などに適用可能である。
【図面の簡単な説明】
【０１０１】
【図１】本発明の実施の形態に係るデジタルカメラの斜視図
【図２】本発明の実施の形態に係るデジタルカメラの構成例を示すブロック図
【図３】本発明の実施の形態に係るデジタルカメラの動作タイミングと光学フィルタの振動時間との対応関係を説明するための図
【図４】本発明の実施の形態に係る駆動時間を用いた圧電素子の駆動方法を説明するための図
【図５】本発明の実施の形態1に係るカメラ本体の動作例を説明するためのフローチャート
【図６】本発明の実施の形態２に係るカメラ本体の動作例を説明するためのフローチャート
【符号の説明】
【０１０２】
１    デジタルカメラ
２    カメラ本体
３    交換レンズ
２０１    ＣＭＯＳセンサ
２０２    メカシャッタ
２０３    信号処理プロセッサ
２０４    バッファメモリ
２０５    液晶モニタ
２０６    電子ビューファンダー
２０７    電池
２０８    ボディマウント
２０９    フラッシュメモリ
２１１    ＣＰＵ
２１２    シャッタスイッチ
２２１    光学フィルタ
２２２    圧電素子
２２３    駆動回路
２２４    ダストリダクションスイッチ
２２５    電源釦
３０１    レンズマウント
３１１    レンズコントローラ
３１４    フラッシュメモリ
【図１】
2012015567.tif 000003
【図２】
2012015567.tif 000004
【図３】
2012015567.tif 000005
【図４】
2012015567.tif 000006
【図５】
2012015567.tif 000007
【図６】
2012015567.tif 000008